(57)【要約】【課題】  調整作業の簡単な撮像ユニットおよび撮像装置を提供し、撮像装置の簡単な調整方法を提供する。【解決手段】  撮像ユニット３に、組立時の調整情報を書き込んだＩＣタグ１６を搭載すし、撮像ユニット３を撮像装置本体２に組み付けた際、ＩＣタグ１６に書き込んだ調整情報を読み出し、読み出した調整情報に基づいて定めた動作パラメータを撮像装置本体２に設けた記憶装置１９に書き込む。【選択図】図８
2006270362.tif 000002
【特許請求の範囲】
【請求項１】
組立時の調整情報を書き込んだＩＣタグを搭載することを特徴とする撮像ユニット。
【請求項２】
前記調整情報は、ズーミングおよびフォーカシングの少なくともいずれかにおけるレンズの位置決め情報を含むことを特徴とする請求項１に記載の撮像ユニット。
【請求項３】
撮像素子を移動させて手振れ補正を行う手振れ補正駆動手段を有し、
前記調整情報は、前記手振れ補正駆動手段による前記撮像素子の位置決め情報を含むことを特徴とする請求項１または２に記載の撮像ユニット。
【請求項４】
請求項１から３のいずれかに記載の撮像ユニットを有することを特徴とする撮像装置。
【請求項５】
前記ＩＣタグに書き込まれた調整情報を読み出すＩＣタグリーダを有することを特徴とする請求項４に記載の撮像装置。
【請求項６】
前記ＩＣタグに書き込まれた調整情報に基づく動作パラメータを記憶する記憶手段を有することを特徴とする請求項４に記載の撮像装置。
【請求項７】
撮像ユニットにＩＣタグを搭載し、
前記撮像ユニットの組立時の調整情報を前記ＩＣタグに書き込み、
前記撮像ユニットを撮像装置本体に組み付けた際、前記ＩＣタグに書き込んだ調整情報を読み出し、
読み出した調整情報に基づいて定めた動作パラメータを前記撮像装置本体に設けた記憶装置に書き込むことを特徴とする撮像装置の調整方法。
【発明の詳細な説明】
【技術分野】
【０００１】
本発明は、撮像ユニット、撮像装置および撮像装置の調整方法に関する。
【背景技術】
【０００２】
デジタルカメラなどの撮像装置には、光学系と撮像素子からなる撮像ユニットを、該撮像ユニットを制御する制御装置を有するカメラ本体に組み付けた構成のものが多い。これは、撮像ユニットの光学系と撮像素子が機械的に所定の位置関係にある必要があり、組立時の微調整や良否判断の単位部品として扱われるからである。
【０００３】
図１３に従来のデジタルカメラ５１の断面を示す。デジタルカメラ５１は、カメラ本体５２と撮像ユニット５３とからなり、カメラ本体５２と撮像ユニット５３は別々に組み立てられ、それぞれ個別に調整されてから、検査を通過した良品同士を組み合わせて構成される。撮像ユニット５３は、複数のレンズ５４によって被写体画像を撮像素子５５に結像させて電気信号に変換する。レンズ５４は、移動可能であり、撮像素子５５上の結像の大きさを変更するズーミングやピント位置を変える焦点移動を行うことができる。また、撮像素子５５は、手振れ補正駆動装置５６に支持されており、カメラ本体５２の振れを相殺するように移動させられる。カメラ本体５２は、ＣＰＵ（制御部）５７および不揮発性メモリ５８を搭載し、ＣＰＵ５７は、不揮発性メモリ５８に記録された動作パラメータに従って、レンズ５４および手振れ補正駆動装置５６を駆動するパルスを撮像ユニット５３に対して出力する。また、カメラ本体５２は、撮影した画像データを記録するメモリカード５９を装着でき、ライブビューおよび記録画像を表示する液晶表示装置（ＬＣＤ）６０を備え、動作電源となるバッテリ６１を収納する。
【０００４】
図１４に、デジタルカメラ５１の構成を詳細に示す。撮像ユニット５３は、レンズ５４の位置を検出して本体のＣＰＵ５７に伝達するレンズ位置検出部６２と、シャッタ６３と、レンズ５４をズーミングのために移動させるモータＭ１と、シャッタ６３を駆動するモータＭ２と、レンズ５４をフォーカシングのために移動させるモータＭ３とを有している。
【０００５】
カメラ本体５２は、モータＭ１を駆動するパルスを出力してレンズ５４を位置決めすることでズーミングするズーム制御部６４と、モータＭ２を駆動するパルスを出力してシャッタ６３を動作させるシャッタ制御部６５と、モータＭ３を駆動するパルスを出力してレンズ５４を位置決めすることで焦点移動する焦点調節制御部６６と、手振れ補正駆動装置５６を駆動するパルスを出力して手振れ補正を行う手振れ補正制御部６７と、撮像素子５５の出力をデジタル信号に変換するＡ／Ｄ変換回路６８と、カメラ本体５２の手振れ量を検出する手振れ検出部６９とを有し、制御部５７がそれらをコントロールすることで手振れを補正しながら画像を撮影できる。また、カメラ本体５２は、フラッシュ回路７０を有し、フラッシュ７１を発光させて撮影することもできる。さらに、カメラ本体５２には、ユーザがデジタルカメラ５１に撮影などの動作を指示するための操作部７２と、撮影した画像データを一時的に記憶する画像メモリ７３と、デジタルカメラ５１を他の機器と接続するための通信インターフェイス（Ｉ／Ｆ）７４とが設けられている。
【０００６】
モータＭ１で駆動するレンズ５４のズーム位置やモータＭ３で駆動するレンズ５４の焦点位置は、モータＭ１，Ｍ３の駆動量と、駆動機構の機械的な形状とによって決定される。レンズ位置検出部６２は、基準位置にあるレンズ５４を検出し、制御部５７は、基準位置からのモータＭ１，Ｍ３の駆動量をそれぞれ積算してコントロールすることでレンズ５４の位置決めを行うようになっている。駆動機構の機械的な形状には、レンズ５４の取付け誤差や駆動機構の機械的な遊びの大小があり、撮像ユニット５３毎にバラツキが生じる。このため、撮像ユニット５３を組み立てたとき、個々にレンズ５４の取付け位置を微調整したり、駆動機構の原点（ズーム基準位置、フォーカス基準位置）や駆動量（サーボゲイン）を微調整する必要がある。
【０００７】
図１５は、撮像ユニット５３を組み立てたときに、駆動機構の原点などを調整して検査するための撮像ユニット調整装置７５の構成を撮像ユニット５３とともに示す。撮像ユニット調整装置７５は、カメラ本体５２が有するのと同じズーム制御部６４、シャッタ制御部６５、焦点調節制御部６６、手振れ補正制御部６７およびＡ／Ｄ変換回路６８を有しており、撮像ユニット調整制御装置７６がカメラ本体５２の制御部５７と同様に撮像ユニット５３の動作を制御する。また、撮像ユニット調整装置７５は、撮像ユニット５３の調整結果を判断するコンピュータ７７を有している。
【０００８】
撮像ユニット調整装置７５で撮像ユニット５３の調整および検査を行うときは、撮像ユニット５３の前の所定位置にテストパターンを配置して撮影し、撮像素子５５が生成した画像データと得られるべき理想的な画像データとの差が許容範囲に納まるように駆動機構の原点などを調整する。このとき、撮像ユニット調整制御装置７５がズーム制御部６４、焦点調節制御部６６および手振れ補正制御部６７を制御するために出力する信号を決定する動作パラメータを変更することで、撮像素子５５が許容範囲内のデータを生成できる撮像ユニット５３は合格品であるとされる。
【０００９】
図１６に撮像ユニット調整作業のフローチャートを示す。先ず、ステップＳ２１で、ズーム制御部６４の出力に対して、撮像素子５５における撮像の大きさが適切になるようにレンズ５４の位置などを調節するズーム位置調整を行う。次に、ステップＳ２２で、焦点調節制御部６６の出力に対して、適切な位置にピントが合うようにフォーカス（焦点）位置調整を行う。そして、ステップＳ２３で、手振れ補正制御部６７で手振れ補正駆動装置５６を原点に移動させたときに、撮像素子５５が、中央に位置するようにセンタリング調整する。さらにステップＳ２４で、撮像素子５５の傾きを調整することで、撮像素子５５の上下左右で焦点が異ならないようにする片ボケ調整を行う。以上の調整が終了した後、ステップＳ２５で解像度を確認して所定の解像度が得られれば撮像ユニット５３の調整作業は完了である。しかし、ステップＳ２５で所定の解像度が得られなければステップＳ２６で部品を交換して、ステップＳ２１に戻って最初から調整をやり直す。
【００１０】
図１７は、撮像ユニット５３をカメラ本体５２に組み付けてカメラ調整装置７８で調整および検査する様子を示すブロック図である。カメラ調整装置７８は、カメラ本体５２の通信インターフェイス７４と接続され、制御部５７と通信可能なカメラ調整制御装置７９を有している。カメラ調整制御装置７９は、撮像ユニット５３の調整時と同様に配置したテストパターンをデジタルカメラ５１が適切に撮影することができるかどうかを確認する。そして、カメラ調整制御装置７９は、ズーム制御部６４、焦点調節制御部６６および手振れ補正制御部６７の出力を最適化するための動作パラメータを決定して不揮発性メモリ５８に書き込む。
【００１１】
図１８に、撮像ユニット５３をカメラ本体５２に組み付けた際の調整作業のフローチャートを示す。先ず、カメラ調整制御装置７９は、ステップＳ３１において、撮像素子５５が撮影したテストパターンの画像が意図した通りの拡大率になるように、ズーム制御部６４の出力パルスを調整する動作パラメータを算出する。そして、ステップＳ３２において、算出した動作パラメータを不揮発性メモリ５８に書き込むことで、制御部５７が独自にズーム制御部６４の出力パルスを最適化してレンズ５４を正確に位置決めできるようにする。次に、ステップＳ３３において、カメラ調整制御装置７９は、意図した焦点位置にピントが合うように焦点調節制御部６６のパルス出力の動作パラメータを最適化する。ステップＳ３４において、不揮発性メモリ５８に焦点調節制御部６６の動作パラメータを書き込むことでレンズ５４の焦点位置を正確に定めることができるようになる。ステップＳ３５で、カメラ調整制御装置７９は、手振れ補正駆動装置５６が原点において撮像素子５５を正確に光軸中心に保持するように手振れ補正制御部６７の動作パラメータを最適化する。ステップＳ３６において動作パラメータを不揮発性メモリ５８に書き込むことで、デジタルカメラ５１は、ズーム位置、焦点位置およびセンタリングが最適化され調整作業が終了する。
【００１２】
以上のように、従来の撮像装置の組み立て工程においては、撮像ユニットを撮像装置本体に組み付けた際、撮像ユニットを組み立てた際に行ったテストパターンを用いたズーム位置、焦点位置およびセンタリングの調整作業を、撮像装置本体が撮像ユニットを適切に制御できるようにするためにもう一度行う必要があり、製造コストを増大させている。
【発明の開示】
【発明が解決しようとする課題】
【００１３】
そこで、本発明は、調整作業の簡単な撮像ユニットおよび撮像装置を提供すること、および、撮像装置の簡単な調整方法を提供することを課題とする。
【課題を解決するための手段】
【００１４】
前記課題を解決するために、本発明による撮像ユニットは、組立時の調整情報を書き込んだＩＣタグを搭載するものとする。
【００１５】
この構成によれば、撮像ユニットを組み立てたときの調整や検査の結果得られる調整情報を撮像ユニットに内蔵するＩＣタグに書き込んであるので、撮像装置本体に撮像ユニットを組み付けるときにＩＣタグに書き込んだ調整情報を読み出せば、撮像ユニットを組み立てたときに行った調整や検査と重複する作業をしなくても撮像装置本体が撮像ユニットを適切に制御するために必要な情報が得られ、撮像ユニットの動作を最適化することができる。
【００１６】
また、本発明の撮像ユニットにおいて、前記調整情報は、ズーミングおよびフォーカシングの少なくともいずれかにおけるレンズの位置決め情報を含んでもよい。
【００１７】
この構成によれば、ズーミングやフォーカシングにおける最適なレンズの基準位置やレンズを駆動する装置のサーボゲインをＩＣタグに書き込むので、撮像装置本体に撮像ユニットを組み込む際に調整作業を行わなくてもピントの合った画像を撮影できる撮像装置が得られる。
【００１８】
また、本発明の撮像ユニットが、撮像素子を移動させて手振れ補正を行う手振れ補正駆動手段を有する場合、前記調整情報は、前記手振れ補正駆動手段による前記撮像素子の位置決め情報を含んでもよい。
【００１９】
この構成によれば、手振れ補正駆動手段により撮像素子を適切に位置決め（センタリング）するために必要なデータをＩＣタグに書き込むので、撮像装置本体に撮像ユニットを組み込む際にセンタリング調整を行わなくてもよい。
【００２０】
また、本発明による撮像装置は、前記撮像ユニットを有するものとする。
【００２１】
この構成の撮像装置は、調整や検査に重複がないので安価に製造できる。
【００２２】
また、本発明の撮像装置は、前記ＩＣタグに書き込まれた調整情報を読み出すＩＣタグリーダを有してもよい。
【００２３】
この構成によれば、撮像装置本体に撮像ユニットを機械的に組み付けるだけで、撮像装置自身が動作パラメータを修正して撮像ユニットの動作を最適化するようにできる。
【００２４】
また、本発明の撮像装置は、前記ＩＣタグに書き込まれた調整情報に基づく動作パラメータを記憶する記憶手段を有してもよい。
【００２５】
この構成によれば、撮像ユニットを撮像装置本体に組み付けるときに、ＩＣタグに書き込まれた調整情報を読み出して、撮像ユニットの動作を最適化する動作パラメータを記憶させることができるので簡単に撮像ユニットの動作を最適化でき、撮像装置を安価に製造できる。
【００２６】
また、本発明による撮像装置の調整方法は、撮像ユニットにＩＣタグを搭載し、前記撮像ユニットの組立時の調整情報を前記ＩＣタグに書き込み、前記撮像ユニットを撮像装置本体に組み付けた際、前記ＩＣタグに書き込んだ調整情報を読み出し、読み出した調整情報に基づいて定めた動作パラメータを前記撮像装置本体に設けた記憶装置に書き込む。
【００２７】
この方法によれば、撮像装置を組み立てる際に、撮像ユニットに搭載したＩＣタグに書き込んだ調整情報を読み出せば、撮像装置本体が撮像ユニットの動作を最適化できる動作パラメータを算出でき、算出した動作パラメータを撮像装置本体の記憶装置に書き込むことで、撮像ユニットを組み立てたときに行った調整や検査と重複する作業をせずに撮像ユニットの動作を最適化することができる。
【発明の効果】
【００２８】
以上のように、本発明によれば、撮像ユニットに搭載したＩＣタグに撮像ユニットの調整情報を書き込んだので、撮像ユニットを撮像装置本体に組み付けるときに、撮像ユニット組立時と重複する調整を行う必要がないので、撮像ユニットの動作を最適化する作業が簡単になり、撮像装置を安価に提供できる。
【発明を実施するための最良の形態】
【００２９】
これより、本発明の実施形態について図面を参照しながら説明する。
図１および図２に、本発明の第１実施形態であるデジタルカメラ（撮像装置）１の側面および背面を示す。デジタルカメラ１は、カメラ本体２に、前方に突出するように撮像ユニット３が取付られ、カメラ本体２の上部には、ポップアップ・フラッシュ４が設けられ、背面には電子ビューファインダ（ＥＶＦ）５と液晶表示装置（ＬＣＤ）６を有している。さらに、カメラ本体２は、モードダイアル７、電源スイッチ８、ズームボタン９、ジョグダイアル１０、メニューボタン１１および手振れ補正設定ボタン１２を有している。
【００３０】
図３にデジタルカメラ１の断面を示す。撮像ユニット３は、複数のレンズ１３を有し、撮像素子１４が手振れ補正駆動装置１５に支持されている。そして、撮像ユニット３は、内部にＩＣタグ１６を搭載している。カメラ本体２は、メイン基板１７上にＣＰＵ（制御部）１８を有しており、撮像ユニット３の動作を制御できる。また、本体２は、不揮発性メモリ（記憶手段）１９を有し、撮影画像を記録するメモリカード２０を装着でき、動作電源であるバッテリ２１を収納する。
【００３１】
図４は、手振れ補正駆動装置１５を背面側から見た様子である。手振れ補正駆動装置１５は、枠状のフレーム台板２２に設けたＸアクチュエータ２３に支持される枠状のＸ台板２４と、Ｘ台板２４に設けたＹアクチュエータ２５に支持されるＹ台板２６とからなり、撮像素子１４は、Ｙ台板２６上に固定されている。Ｘアクチュエータ２３は、フレーム台板２２に固定された圧電素子２３ａと、圧電素子２３ａによって軸方向に往復移動させられる駆動軸２３ｂと、駆動軸２３ｂに摩擦係合し、駆動軸２３ｂ上で滑り移動する移動体２３ｃとからなっており、Ｘ台板２４は、移動体２３ｃに固定されているので駆動軸２３ｂの軸方向に移動させられる。Ｙアクチュエータ２５は、Ｘ台板２４に固定された圧電素子２５ａと、圧電素子２５ａによって軸方向に往復移動させられる駆動軸２５ｂと、駆動軸２５ｂに摩擦係合し、駆動軸２５ｂ上で滑り移動する移動体２５ｃとからなっており、Ｙ台板２６は、移動体２５ｃに固定されているので駆動軸２５ｂの軸方向に移動させられる。これにより、手振れ補正駆動装置１５は、撮像素子１４を互いに直角な駆動軸２３ｂおよび駆動軸２５ｂの両方向に独立して移動して、カメラ本体２の手振れによる移動を相殺することができる。
【００３２】
図５は、デジタルカメラ１の構成をさらに詳しく示したブロック図である。撮像ユニット３は、レンズ１３をズーミングのために移動させるモータＭ１と、レンズ１３の位置を検出して本体のＣＰＵ１８に伝達するレンズ位置検出部２７と、シャッタ２８を駆動するモータＭ２と、レンズ１３をフォーカシングのために移動させるモータＭ３と、手振れ補正駆動装置１５により駆動される撮像素子１４と、ＩＣタグ１６とを有している。
【００３３】
カメラ本体２は、モータＭ１を駆動するパルスを出力することでズーミングのためにレンズ１３を位置決めするズーム制御部２９と、モータＭ２を駆動するパルスを出力してシャッタ２８を動作させるシャッタ制御部３０と、モータＭ３を駆動するパルスを出力することでレンズ１３をフォーカシングのために位置決めする焦点調節制御部３１と、手振れ補正駆動装置１５を駆動するパルスを出力することで手振れ補正を行う手振れ補正制御部３２と、撮像素子１４の出力する信号をデジタル信号に変換するＡ／Ｄ変換回路３３と、カメラ本体２の手振れ量を検出する手振れ検出部３４とを有し、制御部（ＣＰＵ）１８がそれらの構成要素をコントロールすることで手振れを補正しながら画像を撮影できる。また、カメラ本体２は、フラッシュ回路３５を有し、フラッシュ４を発光させて撮影することもできる。さらに、カメラ本体２は、ユーザがデジタルカメラ１に撮影などの動作を指示できるように、モードダイアル７、電源スイッチ８、ズームボタン９、ジョグダイアル１０、メニューボタン１１および手振れ補正設定ボタン１２からなる操作部３６を有し、撮影した画像データを一時的に記憶する画像メモリ３７と、デジタルカメラ１を他の機器と接続するための通信インターフェイス（Ｉ／Ｆ）３８とが設けられている。
【００３４】
続いて、本発明のデジタルカメラ１の調整方法について説明する。
モータＭ１で駆動するレンズ１３のズーム位置やモータＭ３で駆動するレンズ１３の焦点位置は、モータＭ１，Ｍ３の駆動量と、駆動機構の機械的な形状とによって決定される。レンズ位置検出部２７は、所定の基準位置にあるレンズ１３を検出し、制御部１８は、基準位置からモータＭ１，Ｍ３の駆動量をそれぞれ積算してコントロールすることでレンズ１３の位置決めを行うようになっている。駆動機構の機械的な形状には、レンズ１３の取付け誤差や駆動機構の機械的な遊びの大小などがあり、撮像ユニット３によって個々のバラツキが生じる。このため、撮像ユニット３は、個々にレンズ１３の取付け位置などが微調整される。また、ズーム制御部２９、焦点調節制御部３１および手振れ補正制御部３２からパルスを出力するタイミングを変更することでも撮影ユニット３のバラツキを吸収して一定の解像度で撮影できるデジタルカメラ１を作る上げることができる。デジタルカメラ１を完全に組み上げてからレンズ１３などの調整を行うと、調整によっても所定の解像度で撮影できない場合、不具合箇所の特定が難しく、部品交換をする場合もやり直す作業が多くなるので、撮像ユニット３を組み立てたときに撮像ユニット３単体で調整および検査を行う。
【００３５】
図６は、撮像ユニット３を組み立てたときに、レンズ１３の取付けなどを微調整および検査するための撮像ユニット調整装置３９の構成を撮像ユニット３とともに示す。撮像ユニット調整装置３９は、カメラ本体２と同様に、撮像ユニット３を取り付けることができ、カメラ本体２が有するのと同じズーム制御部２９、シャッタ制御部３０、焦点調節制御部３１、手振れ補正制御部３２およびＡ／Ｄ変換回路３３を有しており、撮像ユニット調整制御装置４０がカメラ本体２の制御部１８と同様に撮像ユニット３の動作を制御する。また、撮像ユニット調整装置３９は、撮像ユニット３のＩＣタグ１６にデータを無線送信して書き込むことができるＩＣタグライタ４１と、ＩＣタグライタ４１を制御するコンピュータ４２とを有する。
【００３６】
撮像ユニット調整装置３９に撮像ユニット３を取り付けると、撮像ユニット３の前方の所定の位置に所定のテストパターンを配置し、撮像素子１４が電気信号に変換した画像データを、設計上得られるべき理想的な画像データと比較しながら、順次、ズーム位置調整、焦点位置調整、センタリング調整、片ボケ調整を行いこれらの調整情報をＩＣタグ１６に書き込む。
【００３７】
図７は、撮像ユニット３の調整作業のフローチャートである。先ず、ステップＳ１において、撮像ユニット調整制御装置４０は、ズーム制御部２９をコントロールしてモータＭ１を駆動することでズーミングのためのレンズ１３を移動させる。撮像素子１４は、レンズ１３の位置に応じて拡大率の異なる画像のデータを生成する。撮像ユニット調整制御装置４０は、設計上得られる筈の画像データの拡大率と実際に得られた画像データの拡大率とを比較して、パルスの出力間隔やタイミングを変更することで所定の拡大率の画像が得られるようにズーム制御部２９の動作パラメータを変更する。
【００３８】
ステップＳ２において、コンピュータ４２は、ＩＣタグライタ４１を制御して、ステップＳ１で所定の拡大率を得られるように調整したときのズーム制御部２９の動作パラメータまたは、ズーミングのためのレンズ１３の実際の位置と設計上の位置との相関を示す値のような調整情報をＩＣタグ１６に無線送信して書き込む。
【００３９】
ステップＳ３では、撮像ユニット調整制御装置４０は、焦点調整制御部３１の動作パラメータを変更して所定の位置にピントが合うように調整する。
【００４０】
ステップＳ４において、コンピュータ４２は、ＩＣタグライタ４１を制御して、ステップＳ３で所定の焦点距離が得られるように調整したときの焦点調節制御部３１の動作パラメータまたは、焦点移動のためのレンズ１３の実際の位置と設計上の位置との相関を示す値のような調整情報をＩＣタグ１６に無線送信して書き込む。
【００４１】
さらに、ステップＳ５で、撮像ユニット調整制御装置４０は、手振れ補正制御部３２の動作パラメータを変更して撮像素子１４がテストパターンを画像範囲の中心に捕らえるように手振れ補正駆動装置１５の原点を調整する。
【００４２】
そして、ステップＳ６において、コンピュータ４２は、ＩＣタグライタ４１を制御して、ステップＳ５で手振れ補正駆動装置１５の原点を調整したときの手振れ補正制御部３２の動作パラメータまたは、撮像素子１４の中心位置のずれ量を示す値のような調整情報をＩＣタグ１６に無線送信して書き込む。
【００４３】
さらに、ステップＳ７において、撮像ユニット３の片ボケ調整を行う。片ボケは、撮像素子１４が光軸に対して傾斜しているために発生する上下左右方向の焦点のずれであるため撮像ユニット３の構造では電気的に解消できない。よって、片ボケが許容範囲にない場合は、手振れ補正装置１５に対する撮像素子１４取付けの傾斜を調整する。
【００４４】
続いて、ステップＳ８において、最終的な撮像の解像度を確認する。つまり、撮像ユニット調整制御装置４０は、撮像素子１４が生成するテストパターンの撮像画像を理想的な撮像画像と比較して、その差が許容範囲内であるか否かを確認する。撮像の解像度が許容範囲内であれば、撮像ユニット３の調整は終了するが、撮像の解像度が許容範囲にないときは、いずれかの部品が調整で対応できる範囲にないと判断し、ステップＳ９において部品を交換して、再度、ステップＳ１から調整作業をやり直す。
【００４５】
以上のように、単体で検査に合格した撮像ユニット３は、別途組み立てられて検査に合格したカメラ本体２に組み付けられる。
【００４６】
図８は、撮像ユニット３をカメラ本体２に組み付けた際にデジタルカメラ１の調整を行うカメラ調整装置４３をデジタルカメラ１と共に示すブロック図である。カメラ調整装置４３は、カメラ本体２の通信インターフェイス３８を介して制御部１８に接続されるカメラ調整制御装置４４と、カメラ調整制御装置４４に接続されたＩＣタグリーダ４５とを有している。
【００４７】
図９に、カメラ調整装置４３による調整作業のフローチャートを示す。ステップＳ１１において、カメラ調整装置４３のＩＣタグリーダ４５は、撮像ユニット３のＩＣタグ１６に書き込まれている調整情報を読み出す。そして、ステップＳ１２において、カメラ調整制御装置４４は、読み出した調整情報に基づいて撮像ユニット３の単体調整のときに使用されたズーム制御部２９、焦点調節制御部３１および手振れ補正制御部３２の動作パラメータを不揮発性メモリ１９に書き込む。ＩＣタグ１６に動作パラメータを書き込んでおき、ＩＣタグ１６の内容をそのまま不揮発性メモリ１９にコピーするようにしてもよいし、動作パラメータそのものではなく、動作パラメータが導き出せるデータを不揮発性メモリ１９に書き込んでもよい。
【００４８】
図１０に、上記デジタルカメラ１の製造工程において必要な検査項目を、従来のデジタルカメラに必要な検査項目とともに表にして示す。このように、デジタルカメラ１は、撮像ユニット３を単体で調整したときの情報をＩＣタグ１６に書き込むので、撮像ユニット３をカメラ本体２に組み込む際に、再び、ズーム位置調整、焦点位置調整およびセンタリング調整をしないでも、ＩＣタグ１６から撮像ユニット３を単体で調整したときの情報を読み出すことで、レンズ１３のズーム位置および焦点位置を最適化し、撮像素子１４のセンタリングを行うことができるような制御部１８の制御パラメータを算出して、不揮発性メモリ１９に書き込むことができる。このように、本発明によれば撮像ユニット３をカメラ本体２に組み込む際に、再びテストパターンを撮影して調整するような二度手間がなく製造コストを押し上げることがない。
【００４９】
続いて、図１１に、本発明の第２実施形態のデジタルカメラ１の断面を示す。本実施形態は、前記第１実施形態のデジタルカメラ１のメイン基板１７上に、ＩＣタグリーダ４６を搭載した点だけが異なる。よって、重複する構成要素には同じ符号を付して説明を省略する。また、図１２に、本実施形態のデジタルカメラ１の詳細な構成を示すが、図５との違いはＩＣタグリーダ４６だけである。
【００５０】
本実施形態のカメラ本体２は、ＩＣタグリーダ４６を有しているので、撮像ユニット３と組み合わせるだけで、自らＩＣタグ１６の内容を読み出してズーム制御部２９、焦点調節制御部３１および手振れ補正制御部３２の動作パラメータを最適化する。このため、撮像ユニット３およびカメラ本体２をそれぞれ単独で調整して検査に合格したもの同士を組み合わせれば、組立て後に図９に示した調整をしなくても所定の解像度で撮影することができるようになる。
【００５１】
本実施形態では、ＩＣタグリーダ４６が電源を入れるたびにＩＣタグ１６の調整情報を読み込んでもよいし、外部のトリガによりＩＣタグリーダ４６がＩＣタグ１６の内容を読み込んで動作パラメータを不揮発性メモリ１９に書き込むようにしておき、カメラ本体２に撮像ユニット３を組み付ける際に人為的に動作パラメータを不揮発性メモリ１９に書き込ませてもよい。
【図面の簡単な説明】
【００５２】
【図１】本発明の第１実施形態のデジタルカメラの側面図。
【図２】図１のデジタルカメラの背面図。
【図３】図１のデジタルカメラの断面図。
【図４】図１のデジタルカメラの手振れ補正駆動装置の背面図。
【図５】図１のデジタルカメラのブロック図。
【図６】図１の撮像ユニットと撮像ユニット調整装置のブロック図。
【図７】図１の撮像ユニットの調整の流れ図。
【図８】図１のデジタルカメラとカメラ調整装置のブロック図。
【図９】図１のデジタルカメラの調整の流れ図。
【図１０】図１のデジタルカメラと従来のデジタルカメラの調整項目の比較表。
【図１１】本発明の第２実施形態のデジタルカメラの断面図。
【図１２】図１１のデジタルカメラのブロック図。
【図１３】従来のデジタルカメラの断面図。
【図１４】従来のデジタルカメラのブロック図
【図１５】従来の撮像ユニットと撮像ユニット調整装置のブロック図。
【図１６】従来の撮像ユニットの調整の流れ図。
【図１７】従来のデジタルカメラとカメラ調整装置のブロック図。
【図１８】従来のデジタルカメラの調整の流れ図。
【符号の説明】
【００５３】
１  デジタルカメラ
２  カメラ本体
３  撮像ユニット
１６  ＩＣタグ
１９  不揮発性メモリ（記憶手段）
４１  ＩＣタグライタ
４５  ＩＣタグリーダ
４６  ＩＣタグリーダ
【図１】
2006270362.tif 000003
【図２】
2006270362.tif 000004
【図３】
2006270362.tif 000005
【図４】
2006270362.tif 000006
【図５】
2006270362.tif 000007
【図６】
2006270362.tif 000008
【図７】
2006270362.tif 000009
【図８】
2006270362.tif 000010
【図９】
2006270362.tif 000011
【図１０】
2006270362.tif 000012
【図１１】
2006270362.tif 000013
【図１２】
2006270362.tif 000014
【図１３】
2006270362.tif 000015
【図１４】
2006270362.tif 000016
【図１５】
2006270362.tif 000017
【図１６】
2006270362.tif 000018
【図１７】
2006270362.tif 000019
【図１８】
2006270362.tif 000020